【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
大気から隔離された密閉系内で原水に加圧空気を供給して過飽和溶存酸素水を製造する装置であって、
前記密閉系内に原水を供給する原水供給手段により供給された原水に、大気から隔離された状態で加圧空気を混合して、該原水よりも溶存酸素量が増加された第１の水を得る第１の溶存酸素量増加手段と、
前記第１の溶存酸素量増加手段の下流側に気密に接続された第１の配管と、該第１の配管内に流通される前記第１の水が該第１の配管の長さ以上の距離を移動するように案内する水流案内手段と、該第１の配管内に該水流案内手段に沿って充填された金属ウールとを備え、前記加圧空気により圧送される前記第１の水を該金属ウール中に流通させ、該加圧空気と該第１の水とを混合することにより、該第１の水よりも溶存酸素量が増加された過飽和溶存酸素水である第２の水を得る第２の溶存酸素量増加手段と、
前記第１の配管の下流側に気密に接続された第２の配管内で、前記加圧空気により圧送される前記第２の水に、該第２の水よりも溶存酸素量の少ない第３の水を混合して増量し、該第２の水よりも多量でありかつ該第２の水よりも溶存酸素量が少ない過飽和溶存酸素水である第４の水を得る混合手段とを備えることを特徴とする農業用溶存酸素水製造装置。
【請求項２】
請求項１記載の農業用溶存酸素水製造装置において、前記第３の水は、前記第１の水の一部であることを特徴とする農業用溶存酸素水製造装置。
【請求項３】
請求項１又は請求項２記載の農業用溶存酸素水製造装置において、前記第１の配管は、前記金属ウールを保持する金属ウール保持手段を備えることを特徴とする農業用溶存酸素水製造装置。
【請求項４】
請求項３記載の農業用溶存酸素水製造装置において、前記金属ウール保持手段は、前記第１の配管内に所定間隔を存して、該第１の配管の軸に垂直に配設された複数の金属板からなり、該金属板は前記第１の水の流通を可能とする複数の貫通孔を備え、前記金属ウールは該金属板の間に充填されていることを特徴とする農業用溶存酸素水製造装置。
【請求項５】
請求項１記載の農業用溶存酸素水製造装置において、前記水流案内手段は、前記第１の配管の長手方向に延在する螺旋状面体であることを特徴とする農業用溶存酸素水製造装置。
【請求項６】
請求項１乃至請求項５のうちのいずれか１項に記載の農業用溶存酸素水製造装置において、前記金属ウールは、１０〜５０μｍの範囲の直径を備えるステンレス繊維の集合体から成り、０．２〜０．６ｇ／ｃｍ３の範囲の見かけ比重を備えることを特徴とする農業用溶存酸素水製造装置。
【請求項７】
請求項６記載の農業用溶存酸素水製造装置において、前記金属ウールは、０．３〜０．５ｇ／ｃｍ３の範囲の見かけ比重を備えることを特徴とする農業用溶存酸素水製造装置。
【請求項８】
請求項６又は請求項７記載の農業用溶存酸素水製造装置において、前記加圧空気は、該加圧空気が混合される部分における前記原水の水圧の１２０〜１３０％の範囲の圧力を備えることを特徴とする農業用溶存酸素水製造装置。
【請求項９】
請求項１乃至請求項８のうちのいずれか１項に記載の農業用溶存酸素水製造装置において、
前記第２の溶存酸素量増加手段は、前記第１の溶存酸素量増加手段の下流側に互いに並列に気密に接続された複数の前記第１の配管を備え、各第１の配管内に充填された金属ウール中に、前記第１の水を流通させることにより、該第１の水よりも溶存酸素量が増加された過飽和溶存酸素水である第２の水を得ると共に、
前記混合手段は、前記複数の第１の配管の下流側に気密に接続された第２の配管内で、前記第２の水に、前記第１の溶存酸素量増加手段の下流側から該第２の配管に気密に接続された第３の配管を介して前記加圧空気により圧送される第１の水を混合して増量し、該第２の水よりも多量でありかつ該第２の水よりも溶存酸素量が少ない過飽和溶存酸素水である第４の水を得ることを特徴とする農業用溶存酸素水製造装置。 
【手続補正２】
【補正対象書類名】明細書
【補正対象項目名】０００９
【補正方法】変更
【補正の内容】
【０００９】
かかる目的を達成するために、大気から隔離された密閉系内で原水に加圧空気を供給して過飽和溶存酸素水を製造する装置であって、前記密閉系内に原水を供給する原水供給手段により供給された原水に、大気から隔離された状態で加圧空気を混合して、該原水よりも溶存酸素量が増加された第１の水を得る第１の溶存酸素量増加手段と、前記第１の溶存酸素量増加手段の下流側に気密に接続された第１の配管と、該第１の配管内に流通される前記第１の水が該第１の配管の長さ以上の距離を移動するように案内する水流案内手段と、該第１の配管内に該水流案内手段に沿って充填された金属ウールとを備え、前記加圧空気により圧送される前記第１の水を該金属ウール中に流通させ、該加圧空気と該第１の水とを混合することにより、該第１の水よりも溶存酸素量が増加された過飽和溶存酸素水である第２の水を得る第２の溶存酸素量増加手段と、前記第１の配管の下流側に気密に接続された第２の配管内で、前記加圧空気により圧送される前記第２の水に、該第２の水よりも溶存酸素量の少ない第３の水を混合して増量し、該第２の水よりも多量でありかつ該第２の水よりも溶存酸素量が少ない過飽和溶存酸素水である第４の水を得る混合手段とを備えることを特徴とする。
【手続補正３】
【補正対象書類名】明細書
【補正対象項目名】００１２
【補正方法】変更
【補正の内容】
【００１２】
次に、第２の溶存酸素量増加手段において、前記加圧空気により圧送された前記第１の水が、前記第１の溶存酸素量増加手段の下流側に気密に接続された第１の配管内において、前記水流案内手段に案内されて該第１の配管の長さ以上の距離を移動し、該水流案内手段に沿って該第１の配管内に充填された前記金属ウール中に流通され、該加圧空気と該第１の水とが混合する。
【手続補正４】
【補正対象書類名】明細書
【補正対象項目名】００１３
【補正方法】変更
【補正の内容】
【００１３】
前記金属ウールは、繊維状の金属の集合体であり、繊維状の金属が絡み合うことにより形成された多数の微細孔を備えているので、前記第１の水が該金属ウール中を流通することにより、該第１の水に浮遊する気泡が微細化され、微細化された気泡に含まれる酸素が該第１の水に溶解する。これにより、前記第１の水よりも溶存酸素量が多いだけでなく、溶存酸素量が過飽和状態となった前記第２の水が得られる。前記金属ウールとして、例えばステンレス繊維の集合体からなり、食器の洗浄等に用いられるものが挙げられる。
また、前記第１の配管は前記水流案内手段を備えるので、該水流案内手段を備えない場合と比較して、該第１の配管内に流通される前記第１の水が該第１の配管の長さ以上の距離を移動することにより、前記第２の水の溶存酸素量を増加させることができる。
【手続補正５】
【補正対象書類名】明細書
【補正対象項目名】００１４
【補正方法】変更
【補正の内容】
【００１４】
前記第２の水は、作物の収量増に効果があると期待される溶存酸素量よりもさらに多い溶存酸素量を有する過飽和溶存酸素水である。しかし、前記第２の水は、前記金属ウールという水の流れを阻害する流体抵抗の中に前記第１の水を流通させることにより得られるために、農業用水として使用するのに十分な水量を得ることが困難である。 
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
本発明の農業用溶存酸素水製造装置において、前記第１の配管は、前記金属ウールを保持する金属ウール保持手段を備えることが好ましい。前記金属ウールは、単に前記第１の配管内に配設されているだけでは、前記第１の水の水圧により上流側から下流側に移動してしまい、該第１の水に浮遊する気泡の微細化をより促進する作用が十分に得られないことがある。そこで、前記第１の配管が前記金属ウール保持手段を備えることにより、前記金属ウールの移動を阻止して、前記第１の水に浮遊する気泡を十分に微細化することができる。
【手続補正８】
【補正対象書類名】明細書
【補正対象項目名】００２０
【補正方法】変更
【補正の内容】
【００２０】
前記金属ウール保持手段は、前記第１の配管内に所定間隔を存して、該第１の配管の軸に垂直に配設された複数の金属板からなり、該金属板は前記第１の水の流通を可能とする複数の貫通孔を備え、前記金属ウールは該金属板の間に充填されていることが好ましい。前記金属ウール保持手段は、前記金属板により、前記第１の水の流通を可能としつつ、前記金属ウールの移動を確実に阻止することができる。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】